(57)【要約】  正極端子又は負極端子に接続されるとともに、バスバーに接続される部位を有する導電部材を備えた二次電池において、簡単な構成で、かつ、正極端子又は負極端子、及びバスバーに対して信頼性の高い溶接が可能な導電部材を備えた二次電池を提供する。二次電池は、正極板及び負極板を備えた電極体（１０）と、開口部を有し電極体を収納した外装体（２０）と、開口部を封口する封口体（２１）と、封口体に設けられ、正極板又は負極板に接続された端子（１５）、（１６）と、封口体の外部側に配置され、端子に接続された導電部材（１７）、（１８）とを備え、導電部材（１８）は、導電性の板状部材の一端部が折り返されて、対向した面同士が重ね合わされたオーバラップ部と、面同士が重ね合わされていないベース部とを有し、端子は、ベース部において導電部材と接続されている。
2018056345.tif 000002
【特許請求の範囲】
【請求項１】
正極板及び負極板を備えた電極体と、
開口部を有し、前記電極体を収納した外装体と、
前記開口部を封口する封口体と、
前記封口体に設けられ、前記正極板又は前記負極板に接続された端子と、
前記封口体の外部側に配置され、前記端子に接続された導電部材と
を備えた二次電池であって、
前記導電部材は、導電性の板状部材の一端部が折り返されて、対向した面同士が重ね合わされたオーバラップ部と、面同士が重ね合わされていないベース部とを有し、
前記端子は、前記ベース部において、前記導電部材と接続されている、二次電池。
【請求項２】
前記板状部材は、板状の第１導電部材と第２導電部材とが積層されたクラッド材からなり、
前記第１導電部材は、前記端子と同種の金属からなり、
前記オーバラップ部は、前記第１導電部材の面同士が重ね合わさるように折り返されており、
前記導電部材は、前記ベース部において前記第１導電部材が表面に露出し、前記オーバラップ部において前記第２導電部材が表面に露出しており、
前記端子は、前記ベース部において、前記第１導電部材と接続されている、請求項１に記載の二次電池。
【請求項３】
前記第２導電部材は、バスバーと同種の金属からなり、
前記オーバラップ部は、バスバーを接合する部位となる、請求項２に記載の二次電池。
【請求項４】
前記オーバラップ部は、折り返されて対向した面同士が固定接続された接続部を有する、請求項１〜３の何れかに記載の二次電池。
【請求項５】
前記接続部は、折り返されて対向した面同士が圧着接続されている、請求項４に記載の二次電池。
【請求項６】
前記第１導電部材は、銅又は銅合金からなり、前記第２導電部材は、アルミニウム又はアルミニウム合金からなる、請求項２または３に記載の二次電池。
【請求項７】
正極板及び負極板を備えた電極体と、
開口部を有し、前記電極体を収納した外装体と、
前記開口部を封口する封口体と、
前記封口体に設けられ、前記正極板又は前記負極板に接続された端子と、
を備えた二次電池の製造方法であって、
導電性の板材部材の一端部を折り返すことによって、折り返されて対向した面同士が重ね合わされたオーバラップ部と、面同士が重ならないベース部と、を有する導電部材を前記封口体に配置して、前記端子を前記導電部材に接続する工程
を含み、
前記端子は、前記ベース部において、前記導電部材と接続される、二次電池の製造方法。
【請求項８】
前記板材部材は、板状の第１導電部材と第２導電部材とが積層されたクラッド材からなり、
前記第１導電部材は、前記端子と同種の金属からなり、
前記オーバラップ部は、前記第１導電部材の面同士が重ね合わさるように折り返されて形成される、請求項７に記載の二次電池の製造方法。
【請求項９】
請求項１に記載の二次電池を構成する導電部材の製造方法であって、
前記導電部材は、導電性の板状部材からなり、
前記板状部材の一端部を折り返すことによって、折り返されて対向した面同士が重ね合わされたオーバラップ部と、面同士が重ならないベース部とを有する導電部材が形成される、二次電池用導電部材の製造方法。
【請求項１０】
前記板状部材は、板状の第１導電部材と第２導電部材とが積層されたクラッド材からなり、
前記第１導電部材は、前記端子と同種の金属からなり、
前記オーバラップ部は、前記第１導電部材の面同士が重ね合わさるように折り返されて形成される、請求項９に記載の二次電池用導電部材の製造方法。
【発明の詳細な説明】
【技術分野】
【０００１】
本発明は、正極端子又は負極端子に接続されるとともに、バスバーに接続される部位を有する導電部材を備えた二次電池及びその製造方法、並びに二次電池用導電部材の製造方法に関する。
【背景技術】
【０００２】
複数の二次電池を電気的に直列に接続して構成した組電池は、並列された一方の二次電池の正極端子と、他方の二次電池の負極端子とが、バスバーで溶接されている。このとき、正極端子と負極端子とが異種金属で構成されている場合、単一種のバスバーを用いて、正負の端子に溶接すると、どちらか一方の端子で、異種金属どうしの溶接が生じる。しかしながら、異種金属どうしの溶接は、材料の組み合わせにより困難な場合がある。例えば、負極端子が銅で構成され、正極端子がアルミニウムで構成されている場合、アルミニウムで構成されたバスバーを負極端子に溶接すると、溶接部の信頼性が著しく低下する畏れがある。【０００３】
このような問題に対して、特許文献１には、正極端子と同種の金属からなる金属板と、負極端子と同種の金属からなる金属板とが合わされた合板で構成されたバスバーが開示されている。この合板からなるバスバーを、長手方向の途中において、１８０°捻ることによって、あるいは、両端部を相反する方向に１８０°折り曲げることによって、同一平面内に２種類の金属板を配することができる。これにより、並列された二次電池の正極端子と負極端子とを、それぞれ、同種の金属からなる金属板で溶接することが可能となる。
【先行技術文献】
【特許文献】
【０００４】
【特許文献１】特開２００２−１５１０４５号公報
【発明の概要】
【発明が解決しようとする課題】
【０００５】
しかしながら、特許文献１に開示されたバスバーは、並列される二次電池の間隔に応じて、合板の捻り加工や折り曲げ加工を行う必要がある。【０００６】
本発明は、かかる点に鑑みなされたもので、その主な目的は、正極端子又は負極端子に接続されるとともに、バスバーに接続される部位を有する導電部材を備えた二次電池において、簡単な構成で、かつ、正極端子又は負極端子、及びバスバーに対して信頼性の高い溶接が可能な導電部材を備えた二次電池を提供することにある。
【課題を解決するための手段】
【０００７】
本発明に係る二次電池は、正極板及び負極板を備えた電極体と、開口部を有し電極体を収納した外装体と、開口部を封口する封口体と、封口体に設けられ、正極板又は負極板に接続された端子と、封口体の外部側に配置され、端子に接続された導電部材とを備え、導電部材は、導電性の板状部材の一端部が折り返されて、対向した面同士が重ね合わされたオーバラップ部と、面同士が重ね合わされていないベース部とを有し、端子は、ベース部において導電部材と接続されている。【０００８】
ある好適な実施形態において、上記板状部材は、板状の第１導電部材と第２導電部材とが積層されたクラッド材からなり、第１導電部材は、上記端子と同種の金属からなり、オーバラップ部は、第１導電部材の面同士が重ね合わさるように折り返されており、導電部材は、ベース部において第１導電部材が表面に露出し、オーバラップ部において第２導電部材が表面に露出しており、端子は、ベース部において導電部材と接続されている。
【発明の効果】
【０００９】
本発明によれば、正極端子又は負極端子に接続されるとともに、バスバーに接続される部位を有する導電部材を備えた二次電池において、簡単な構成で、かつ、正極端子又は負極端子、及びバスバーに対して信頼性の高い溶接が可能な導電部材を備えた二次電池を提供することができる。
【図面の簡単な説明】
【００１０】
【図１】本発明の一実施形態における二次電池の構成を模式的に示した図で、（ａ）は上面図、（ｂ）は断面図である。
【図２】（ａ）〜（ｃ）は、本発明の一実施形態における負極導電部材を作製する工程を模式的に示した図である。
【図３】オーバラップ部に接続部を設けた導電部材の構成を模式的に示した斜視図である。
【図４】（ａ）、（ｂ）は、接続部の形成方法を模式的に示した断面図である。
【図５】本発明の他の実施形態における負極導電部材の構成を模式的に示した断面図である。
【図６】本発明における二次電池を複数個配列して構成した組電池を模式的に示した斜視図である。
【図７】反転プレート（短絡機構）を備えた二次電池の構成を模式的に示した部分断面図である。
【発明を実施するための形態】
【００１１】
以下、本発明の実施形態を図面に基づいて詳細に説明する。なお、本発明は、以下の実施形態に限定されるものではない。また、本発明の効果を奏する範囲を逸脱しない範囲で、適宜変更は可能である。
【００１２】
図１は、本発明の一実施形態における二次電池１の構成を模式的に示した図で、図１（ａ）は上面図、図１（ｂ）は断面図である。
【００１３】
図１（ａ）、（ｂ）に示すように、本実施形態における二次電池１では、発電要素である電極体１０が電解液とともに、外装体２０に収納されている。また、外装体２０の開口部は、封口体２１で封口されている。ここで、電極体１０は、正極板及び負極板がセパレータ（何れも不図示）を介して巻回、または積層された構造をなしている。正極板は、正極芯体表面に正極活物質を含む正極活物質層が設けられている。負極板は、負極芯体表面に負極活物質を含む負極活物質層が設けられている。また、正極板及び負極板は、それぞれ、その一側部において、活物質層が形成されていない正極芯体露出部１１及び負極芯体露出部１２を有している。そして、正極板及び負極板は、正極芯体露出部１１及び負極芯体露出部１２が、それぞれ反対方向に延出するように配置されている。
【００１４】
なお、正極端子１５及び負極端子１６は、封口板１２の上面及び下面に設けられた絶縁部材（不図示）を介して、封口板１２に固定されている。また、図１（ａ）、（ｂ）には図示しないが、電極体１３と外装体１１との間には、箱状に折り曲げ加工された絶縁シートが配置されている。
【００１５】
正極芯体露出部１１は、正極集電体１３を介して、正極端子１５に接続され、また、負極芯体露出部１２は、負極集電体１４を介して、負極端子１６に接続されている。正極端子１５及び負極端子１６は、それぞれ、封口体２１に設けられた貫通孔を貫通して封口体２１に固定されている。さらに、封口体２１の外部側において、正極端子１５及び負極端子１６には、それぞれ、正極導電部材１７及び負極導電部材１８が接続されている。また、正極導電部材１７及び負極導電部材１８は、それぞれ、正極端子１５及び負極端子１６に接続される部位となるベース部１７ａ、１８ａと、バスバーに接続される部位となるオーバラップ部１７ｂ、１８ｂとを有している。正極導電部材１７のベース部１７ａに設けられた貫通孔に正極端子１５が挿入され、正極端子１５の上端がベース部１７ａ上にカシメ固定されている。また、正極端子１５のカシメられた部分がベース部１７ａと溶接されている。負極導電部材１８のベース部１８ａに設けられた貫通孔に負極端子１６が挿入され、負極端子１６の上端がベース部１８ａ上にカシメ固定されている。また、負極端子１６のカシメられた部分がベース部１８ａと溶接されている。
【００１６】
負極端子１６、負極導電部材１８は、封口体２１と電気的に絶縁されている。また、例えば、正極集電体１３、正極端子１５及び正極導電部材１７の少なくとも一つが封口体２１と接することにより、正極集電体１３、正極端子１５及び正極導電部材１７が封口体２１に電気的に接続されている。なお、正極集電体１３、正極端子１５及び正極導電部材１７を封口体２１と電気的に絶縁することもできる。
【００１７】
封口体２１には、電解液を注液する注液孔が設けられ、この注液孔は、電解液を注液した後、封止部材２４で封止される。また、封口体２１には、外装体２０の内部の圧力が上昇したときに破断し、圧力を開放する排出弁２５が設けられている。
【００１８】
なお、二次電池１が非水電解質二次電池である場合、正極芯体、正極集電体１３、及び正極端子１５は、アルミニウムあるいはアルミニウム合金からなることが好ましい。また、負極芯体、負極集電体１４、及び負極端子１６は、銅あるいは銅合金であることが好ましい。なお、負極端子１６の表面にニッケル層を設けることも可能性である。
【００１９】
外装体２０及び封口体２１は金属製であることが好ましく、アルミニウム、アルミニウム合金、ステンレス、鉄等からなることが好ましい。
【００２０】
図２（ａ）〜（ｃ）は、本実施形態における負極導電部材１８を作製する工程を示した図である。
【００２１】
図２（ａ）に示すように、板状の第１導電部材１９ａと第２導電部材１９ｂとが積層されたクラッド材１９を用意する。ここで、第１導電部材１９ａは、負極端子１６と同種の金属からなる。また、第２導電部材１９ｂは、バスバーと同種の金属からなる。例えば、負極端子１６が、銅あるいは銅合金からなる場合、第１導電部材１９ａは銅あるいは銅合金からなり、バスバーが、アルミニウムあるいはアルミニウム合金からなる場合、第２導電部材１９ｂはアルミニウムあるいはアルミニウム合金からなる。
【００２２】
次に、図２（ｂ）に示すように、クラッド材１９の一端部を、第１導電部材１９ａの面同士が重ね合わさるように折り返す。これにより、図２（ｃ）に示すように、第１導電部材１９ａの面同士が重ね合わされたオーバラップ部１８ｂと、第１導電部材１９ａの面同士が重ね合わされていないベース部１８ａとを有する負極導電部材１８が作製される。
【００２３】
図２（ｃ）に示すように、本実施形態における負極導電部材１８は、ベース部１８ａにおいて、第１導電部材１９ａが表面に露出し、オーバラップ部１８ｂにおいて第２導電部材１９ｂが表面に露出している。従って、図１（ａ）、（ｂ）に示したように、封口体２１の外部側に負極導電部材１８を配置したとき、第１導電部材１９ａが表面に露出したベース部１８ａにおいて、負極端子１６が接続され、第２導電部材１９ｂが表面に露出したオーバラップ部１８ｂにおいて、バスバーが接続される。なお、ベース部１８ａには、負極端子１６が挿入される貫通孔が形成される。当該貫通孔の形成のタイミングは、クラッド材１９の折り曲げ加工前、折り曲げ加工後のいずれであってもよい。
【００２４】
本実施形態において、第１導電部材１９ａは、負極端子１６と同種の金属からなるため、同種の金属同士の溶接により、負極端子１６と負極導電部材１８とを接合することができる。また、第２導電部材１９ｂは、バスバーと同種の金属からなるため、同種の金属同士の溶接により、バスバーと負極導電部材１８とを接合することができる。これにより、負極端子１６とバスバーとが異なる金属で構成されていても、負極端子１６及びバスバーに対して、信頼性の高い溶接が可能な負極導電部材１８を備えた二次電池を得ることができる。
【００２５】
なお、正極端子１５が、バスバーと同種の金属（例えば、アルミニウムあるいはアルミニウム合金）からなる場合には、正極導電部材１７を正極端子１５と同種の金属で構成しておけばよい。これにより、正極端子１５とバスバーとを、同種の金属同士の溶接により正極導電部材１７に接合することができる。
【００２６】
一方、正極端子１５が、バスバーと異種の金属からなる場合には、正極端子１５と同種の金属からなる第１導電部材と、バスバーと同種の金属からなる第２導電部材とが積層されたクラッド材を、第１導電部材の面同士が重ね合わさるように折り返すことによって、正極導電部材１７を作製すればよい。このとき、第１導電部材の面同士が重ね合わされていないベース部において、正極端子１５と正極導電部材１７とを、同種の金属同士の溶接により接合することができる。また、第１導電部材の面同士が重ね合わされたオーバラップ部において、バスバーと正極導電部材１７とを、同種の金属同士の溶接により接合することができる。
【００２７】
本実施形態によれば、正極端子または負極端子に接続されるとともに、バスバーに接続される部位を有する導電部材を備えた二次電池において、第１導電部材と第２導電部材とが積層されたクラッド材を、第１導電部材の面同士が重ね合わさるように折り返して導電部材を作製することによって、第１導電部材の面同士が重ね合わされていないベース部において、正極端子又は負極端子と導電部材とを、同種の金属同士の溶接により接合することができる。また、第１導電部材の面同士が重ね合わされたオーバラップ部において、バスバーと導電部材とを、同種の金属同士の溶接により接合することができる。これにより、正極端子１５または負極端子１６とバスバーとが異なる金属で構成されていても、正極端子１５または負極端子１６及びバスバーに対して、信頼性の高い溶接が可能な導電部材を備えた二次電池を得ることができる。
【００２８】
なお、本実施形態において、導電部材を構成するクラッド材として、第１導電部材１９ａに、正極端子または負極端子と同種の金属を用い、第２導電部材１９ｂに、バスバーと同種の金属を用いればよい。
【００２９】
また、本実施形態における導電部材は、第１導電部材と第２導電部材とが積層されたクラッド材の一端部を折り返すことによって作製されるため、低コストで、かつ強度の高い導電部材を得ることができる。
【００３０】
図３は、オーバラップ部における抵抗値の低減を図った導電部材の構成を模式的に示した斜視図である。
【００３１】
図３に示すように、導電部材１８のオーバラップ部１８ｂは、クラッド材が折り返されて対向した第１導電部材の面同士が固定接続された接続部３０を有している。なお、ベース部１８ａには、正極端子または負極端子が貫通する貫通孔１８ｃが設けられている。
【００３２】
このように、対向した第１導電部材の面同士を固定接続した接続部３０が形成されていると、オーバラップ部１８ｂにおいてバスバーが接続される部分と、ベース部１８ａにおいて負極端子１６が接続される部分との間の抵抗値を低減することができる。
【００３３】
接続部３０は、例えば、図４（ａ）、（ｂ）に示すような方法で形成することができる。ここで、図４（ａ）、（ｂ）は、オーバラップ部１８ｂの断面のみ示している。
【００３４】
図４（ａ）に示した方法は、表面に凹部３２ａが形成されたダイ３２の上にオーバラップ部１８ｂを載置し、上方からパンチ３１を用いてオーバラップ部１８ｂをプレス加工する。これにより、対向して重ね合わされた第１導電部材１９ａのうち、上側の第１導電部材１９ａの面の一部が、下側の第１導電部材１９ａの内部に打ち込まれた状態で、接続部３０が形成される。このとき、上側の第２導電部材１９ｂの表面に凹部が形成されるとともに、下側の第２導電部材１９ｂの表面に凸部が形成される。
【００３５】
図４（ｂ）に示した方法は、表面に凹部が形成されていないダイ３２を用いて、上方からパンチ３１でオーバラップ部１８ｂをプレス加工する。この場合には、上側の第２導電部材１９ｂの表面に凹部が形成されるが、下側の第２導電部材１９ｂの表面に凸部は形成されない。
【００３６】
なお、図３に例示した接続部３０は、オーバラップ部１８ｂの四隅に形成したが、これに限定されず、任意の位置及び個数で接続部３０を形成してもよい。なお、接続部３０は、少なくとも、ベース部１８ａとオーバラップ部１８ｂとの境界近傍の位置に設けることが好ましい。このような構成であれば、オーバラップ部１８ｂにおいてバスバーが接続される部分とベース部１８ａにおいて負極端子１６が接続される部分との間の抵抗値をより低減することができる。また、ベース部１８ａとオーバラップ部１８ｂとの境界近傍において、対抗する第１導電部材１９ａの面同士が離れるように負極導電部材が変形することをより確実に防止できる。
【００３７】
図３に示す負極導電部材１８では、板状部材１９の折り返し部が負極導電部材１８の長手方向における端部に形成される。他の実施形態として、負極導電部材１８の幅方向における一方の端部に、板状部材１９の折り返し部が形成されるようにすることができる。この場合は、板状部材１９において、折り返し後  オーバラップ部となる部分の幅を、ベース部となる部分の幅よりも大きくしておけばよい。
【００３８】
以上、本発明を好適な実施形態により説明してきたが、こうした記述は限定事項ではなく、もちろん、種々の改変が可能である。例えば、上記実施形態では、負極導電部材を、第１導電部材と第２導電部材とが積層されたクラッド材の一端部を折り返して作製したが、図５に示すように、単一の導電性の板状部材１９の一端部を折り返して負極導電部材１８を作製してもよい。この場合、負極導電部材１８は、対向した面同士が重ね合わされたオーバラップ部１８ｂと、面同士が重ね合わされていないベース部１８ａとを有する。そして、負極端子は、ベース部１８ａにおいて、負極導電部材１８と接続することができる。また、オーバラップ部１８ｂを、バスバーを接合する部位とすることができる。
【００３９】
このような構成の負極導電部材１８は、導電性の板状部材１９の一端部を折り返すことによって作製されるため、より簡単な方法で、厚みの異なる部分を有する負極導電部材１８が作製できる。負極導電部材１８は、厚みの薄いベース部１８ａと、厚みの厚いオーバラップ部１８ｂとを有する。したがって、負極導電部材１８において、バスバーが接続される面（オーバラップ部１８ｂの上面）と、負極端子１６が接続される面（ベース部１８ａの上面）の高さが同一の高さとならない。このため、負極導電部材１８のオーバラップ部１８ｂにバスバーを接続する際、バスバーや治具等が負極導電部材１８のベース部１８ａと負極端子１６の接続部に接触し当該接続部を損傷させることをより確実に防止できる。
【００４０】
また、オーバラップ部１８ｂにバスバーをレーザ溶接する場合、オーバラップ部１８ｂの下方に配置された部材を損傷させることなく、より高エネルギーのレーザでより強固に溶接接続することが可能である。ここで、ベース部１８ａの厚みはオーバラップ部１８ｂの厚みより小さいため、負極端子１７と負極導電部材１８の接続部近傍の二次電池の高さを高くすることなく、上述の効果が得られる。なお、オーバラップ部１８ｂの下方に配置された部材としては、封口板、負極導電部材１８と封口板の間に配置される絶縁部材、あるいは後述する反転プレート等が挙げられる。
【００４１】
なお、正極導電部材１７も、単一の導電性の板状部材の一端部を折り返して作製してもよい。
【００４２】
本発明における二次電池１を、複数個配列して組電池を構成することもできる。図６は、本発明における二次電池１を６個配列して、組電池５０を構成した例を示した斜視図である。
【００４３】
図６に示すように、各二次電池１の正極端子１５及び負極端子１６の位置を、交互に入れ替えて配列し、隣り合う二次電池１の正極端子１５と負極端子１６とを、バスバー６０で接合することによって、６個の二次電池１が電気的に直列に接続されている。例えば、正極端子１５及びバスバー６０が、アルミニウムあるいはアルミニウム合金からなり、負極端子１６が、銅あるいは銅合金からなる場合、正極導電部材１７及び負極導電部材１８は、以下のような構成のものを使用することができる。
【００４４】
すなわち、正極導電部材１７は、図５に示したように、アルミニウムあるいはアルミニウム合金からなる板状部材１９の一端部を折り返し、対向した面同士が重ね合わされたオーバラップ部１８ｂと、面同士が重ね合わされていないベース部１８ａとを有する構成のものを用いることができる。また、負極導電部材１８は、図２に示したように、銅あるいは銅合金からなる第１導電部材１９ａと、アルミニウムあるいはアルミニウム合金からなる第２導電部材１９ｂとが積層されたクラッド材１９の一端部を、第１導電部材１９ａの面同士が重ね合わさるように折り返し、対向した面同士が重ね合わされたオーバラップ部１８ｂと、面同士が重ね合わされていないベース部１８ａとを有する構成のものを用いることができる。
【００４５】
このような構成の正極導電部材１７及び負極導電部材１８を用いることにより、正極端子１５は、正極導電部材１７のベース部１７ａにおいて、同種の金属（アルミニウムあるいはアルミニウム合金）同士の溶接により接合することができる。また、負極端子１６は、負極導電部材１８のベース部１８ａにおいて、同種の金属（銅あるいは銅合金）同士の溶接により接合することができる。さらに、隣り合う二次電池１の正極端子１５に接続された正極導電部材１７のオーバラップ部１７ｂと、負極端子１６に接続された負極導電部材１８のオーバラップ部１８ｂとを、同種の金属（アルミニウムあるいはアルミニウム合金）からなるバスバー６０で溶接することができる。その結果、二次電池１の正極端子１５及び負極端子１６が異なる金属で構成されていても、正極端子１５、負極端子１６及びバスバー６０に対して、信頼性の高い溶接で接合された組電池５０を得ることができる。なお、正極導電部材と負極導電部材の両方が、板状部材１９の一端部が折り返されたものである必要はない。例えば、正極導電部材として、折り返し加工されていない導電部材を用いることも可能である。
【００４６】
また、本発明における二次電池において、図７に示すように、負極端子１６の近傍に、反転プレート（短絡機構）４２を設けてもよい。
【００４７】
図７に示すように、負極端子１６は、封口体２１に設けられた貫通孔を貫通して封口体２１に固定されている。また、封口体２１の外部側に配置された負極導電部材１８は、ベース部１８ａにおいて、負極端子１６に接続されている。また、負極端子１６は、封口体２１の内部側において、負極集電体１４に接続されている。なお、封口体２１は、絶縁部材４０、４１により負極端子１６及び負極集電体１４と電気的に絶縁されている。一方、正極端子（不図示）は、封口体２１と電気的に接続されており、そのため、封口体２１は、正極端子と同一の極性を有している。
【００４８】
封口体２１の一部には、空洞部４３が形成され、この空洞部４３を覆うように可変部材としての反転プレート４２が配置されている。ここで、反転プレート４２は、封口体２１と電気的に接続されており、正極端子と同一の極性を有している。また、負極導電部材１８のオーバラップ部１８ｂは、空洞部４３の上方まで延出している。そして、二次電池が過充電状態になって、外装体２０の内部の圧力が設定値以上になったとき、反転プレート４２は反転して、負極導電部材１８のオーバラップ部１８ｂと接触する。これにより、反転プレート４２は、正極板と負極板とを電極体の外部で電気的に短絡させる短絡機構として作用する。
【００４９】
なお、図７では、反転プレート（短絡機構）４２を負極端子１６の近傍に設けたが、正極端子の近傍に設けてもよい。この場合、正極端子は、封口体と電気的に絶縁されている一方、負極端子は、封口体２１と電気的に接続されている。
【００５０】
反転プレートはアルミニウム又はアルミニウム合金製であることが好ましい。そして、負極導電部材において反転プレートと対向する面を構成する第２導電部材も、アルミニウム又はアルミニウム合金製であることが好ましい。これにより、反転プレートと第２導電部材が接触したときに、反転プレートと第２導電部材が溶融し接続される。これにより、より確実に短絡電流が流れ、正極集電体ないし正極導電部材に形成されたヒューズ部を確実に溶断させることができる。また、第１導電部材が銅又は銅合金製からなることが好ましい。これにより、負極導電部材が反転プレートと接触した第２導電部材が溶融したとしても、負極導電部材に開口等が形成されることを確実に防止できる。
【００５１】
本発明における二次電池１は、その種類は、特に限定されず、例えば、リチウムイオン二次電池、ニッケル水素二次電池等に適用することができる。また、電極体１０も、その構造は特に限定されない。また、正極、負極、セパレータ、電解液等については公知の材料を使用できる。
【符号の説明】
【００５２】
１        二次電池 
１０      電極体 
１１      正極芯体露出部 
１２      負極芯体露出部 
１３      正極集電体 
１４      負極集電体 
１５      正極端子 
１６      負極端子 
１７      正極導電部材 
１７ａ    ベース部 
１７ｂ    オーバラップ部 
１８      負極導電部材 
１８ａ    ベース部 
１８ｂ    オーバラップ部 
１８ｃ    貫通孔 
１９      クラッド材（板状部材）
１９ａ    第１導電部材 
１９ｂ    第２導電部材 
２０      外装体 
２１      封口体 
２４      封止部材 
２５      排出弁 
３０      接続部 
３１      パンチ 
３２      ダイ 
３２ａ    凹部 
４０、４１      絶縁部材 
４２      反転プレート（短絡機構） 
４３      空洞部 
５０      組電池 
６０      バスバー
【図１】
2018056345.tif 000003
【図２】
2018056345.tif 000004
【図３】
2018056345.tif 000005
【図４】
2018056345.tif 000006
【図５】
2018056345.tif 000007
【図６】
2018056345.tif 000008
【図７】
2018056345.tif 000009
【国際調査報告】
2018056345.tif 000010
2018056345.tif 000011
2018056345.tif 000012
2018056345.tif 000013